(57)【特許請求の範囲】
【請求項１】
人を体位交換するためのシステムであって、前記システムが、 
ベッドと； 
前記ベッドに連結され、前記ベッド上に延在する枠組であって、第１の縦支持部材、第２の縦支持部材、ヘッドエンド横部材、およびフットエンド横部材を有する枠組と； 
前記枠組に取り付けられる吊り装置とを具え、前記吊り装置は、前記枠組から外れることなく、前記ヘッドエンド横部材、前記第１の縦支持部材、前記フットエンド横部材、および前記第２の縦支持部材間を動き、前記ヘッドエンド横部材に戻るよう構成されていることを特徴とするシステム。 
【請求項２】
請求項１のシステムにおいて、前記枠組がさらに、前記ヘッドエンド横部材、前記第１の縦支持部材、前記フットエンド横部材、および前記第２の縦支持部材間に複数の湾曲部を具えることを特徴とするシステム。 
【請求項３】
請求項１のシステムにおいて、前記吊り装置がホイストであることを特徴とするシステム。
【発明の詳細な説明】
【技術分野】
【０００１】
本開示は、２００７年２月８日出願の米国仮出願Ｎｏ．６０／８８８，８２４および２００８年１月２９日出願の米国仮出願Ｎｏ．１２／０２１，８７６の利益を主張する。
【０００２】
本発明は、一般に、患者または患者の四肢のような患者の一部を体位交換するのに用いられる装置、方法、およびシステムに関する。
【背景技術】
【０００３】
長期間ベッドに拘束される患者その他の人は、しばしばベッド内で体位交換、またはあるベッドから他のベッドや支持面への移動の際に補助を必要とする。実施される体位交換のタイプにより、介護人は、吊上金具や、体位交換シートまたはロールシートのような装置を用いる必要がある。人（または四肢などの人の一部）が頭上の吊上装置を用いてベッドの外へ吊上げられる場合には吊上金具が用いられ、ベッド内で人を体位交換したり、巻いたりするのに、体位交換シートが用いられる場合もある。
【０００４】
既存のシステムにおいて、携帯型の吊上ホイストは、患者の体位交換を支援、または患者の四肢を動かすのを補助するよう、患者の方へ配置または移動させる必要がある。このことは、介護人にとって相当な時間を要する。別の既存のシステムにおいて、ホイストを天井の軌道のような常設のオーバーヘッドシステムに取り付けて、患者を体位交換してもよい。このようなシステムは、設置にかなりの費用を要し、別の配置やベッドへ持ち運び可能ではない。さらに患者は、ベッドに出入りする際に、時に介護人の補助を必要とする。しかしながら、オーバーヘッド支持具またはハンドルを利用することができれば、患者は介護人の補助なしでベッドに出入りできる場合がある。ホイストの配置が困難か、利用できない場合、介護人はホイストの補助なしで患者や患者の一部を吊上げたりすることが必要となる。このような動作は、介護人の過労やけがの原因となりうる。
【０００５】
したがって、既存の装置にあるこれらの欠点を克服する、患者の体位交換および四肢取扱システムの提供が望まれる。
【発明の開示】
【課題を解決するための手段】
【０００６】
本開示の例示的な実施例は、人を体位交換するためのシステムを具える。特定の例示的な実施例において、前記システムは、第１の横支持部材および当該第１の横支持部材に連結される第２の横支持部材を具え、前記第２の横支持部材は前記第１の横支持部材に対して平行移動するよう構成される。例示的な実施例はまた、前記第１の横支持部材の第１の端部に連結される第１の縦部材と、前記第２の横支持部材の第２の端部に連結される第２の縦部材とを具えてもよい。例示的な実施例において、前記第１および第２の縦部材は、第１および第２の縦支持部材を具えるベッド枠組に係合するよう構成される。
【０００７】
特定の例示的な実施例において、前記第２の横支持部材の第１の端部は、前記システムが第１の位置にある場合、前記第１の縦部材を越えて延在するよう構成され、前記第２の横支持部材の第２の端部は、前記システムが第２の位置にある場合、前記第２の縦部材を越えて延在するよう構成される。
【０００８】
例示的な実施例はまた、前記第２の横支持部材が、前記第１の横支持部材に対して平行移動しないように、前記第２の横支持部材を固定するよう構成される第１のロック部材を具えてもよい。例示的な実施例はさらに、前記第１および第２の縦部材が、使用中に、前記第１および第２の縦支持部材に対して動かないように、前記第１または第２の縦部材を固定するよう構成される第２のロック部材を具えてもよい。別の例示的な実施例はまた、ヘッドエンド、フットエンド、右側、および左側を有するベッドまたは別の支持面上に延在する構造支持システムを具えてもよい。例示的な実施例において、前記システムは、前記ヘッドエンド、前記フットエンド、前記右側、および前記左側間の複数の位置の一に配置されるよう構成される。
【０００９】
例示的な実施例はまた、前記第１または第２の横支持部材の一方に連結されるハンドルおよび／またはホイストを具えてもよい。例示的な実施例において、スリングが前記ホイストに連結されてもよい。体位交換シートはまた、例示的な実施例において、スプレッダバーを介して前記ホイストに連結されてもよい。
【００１０】
例示的な実施例において、前記第１および第２の横支持部材が、粉体塗布された鉄、粉体塗布されたアルミニウム、および硬質の陽極処理アルミニウムの一以上からなる。前記第１および第２の縦部材はそれぞれ、例示的な実施例において、低摩擦インサートを具えてもよい。
【００１１】
例示的な実施例はさらに、第１のスライド部材であって、平行移動の係合で前記第１の横支持部材に連結され、非平行移動の係合で前記第２の横支持部材に連結される第１のスライド部材を具えてもよい。別の例示的な実施例がさらに、平行移動の係合で、前記第２の横支持部材に連結される第２のスライド部材を具えてもよい。例示的な実施例がさらに、前記第１のスライド部材を前記第２の横部材に連結する連結部材を具え、前記第２のスライド部材が、前記連結部材を越えて平行移動するよう構成されてもよい。
【００１２】
例示的な実施例はまた、ベッドと、前記ベッドに連結され、前記ベッド上に延在する枠組であって、第１の縦支持部材および第２の縦支持部材を具える枠組とを具えてもよい。例示的な実施例はまた、第１の端部および第２の端部を有する横支持部材と、前記第１の横支持部材の第１の端部に連結される第１の縦部材と、前記第２の横支持部材の第２の端部に連結される第２の縦部材とを具えてもよい。例示的な実施例はまた、前記横支持部材に連結される吊り装置であって、前記横支持部材の第１の端部および第２の端部間を動くよう構成される吊り装置を具えてもよい。例示的な実施例において、前記吊り装置はホイストである。例示的な実施例において、前記ホイストは電気ホイストまたは機械ホイストである。例示的な実施例において、前記吊り装置はまた、前記横支持部材に接する回動部材を具えてもよい。
【００１３】
例示的な実施例はまた、ベッドと、前記ベッドに連結され、前記ベッド上に延在する枠組であって、第１の縦支持部材、第２の縦支持部材、ヘッドエンド横部材、およびフットエンド横部材を具える枠組とを具えてもよい。例示的な実施例はまた、前記枠組に取り付けられる吊り装置であって、前記枠組から外れることなく、前記ヘッドエンド横部材、前記第１の縦支持部材、前記フットエンド横部材、および前記第２の縦支持部材間を移動し、前記ヘッドエンド横部材へと戻るよう構成される吊り装置を具えてもよい。例示的な実施例において、前記枠組はさらに、前記ヘッドエンド横部材、前記第１の縦支持部材、前記フットエンド横部材、および前記第２の縦支持部材間に複数の湾曲部を具えてもよい。
【図面の簡単な説明】
【００１４】
本願発明の実施例が以下に詳細に記載されるが、これは当業者であれば、本発明の範囲から外れることなく変更や修正を行えることは明白である。したがって、以下の記載および添付図面は説明のためにのみ提示されるのであって限定ではない。本発明の実際の範囲は、以下のクレームとともに、これらのクレームに権利が与えられる均等物の全範囲により規定されるべきである。
【００１５】
さらに当業者は、本開示を読んだり、理解したりするにあたり、本書記載の発明の別のバリエーションが本発明の範囲に含まれることを認識するであろう。例えば、構成の異なる材料が四肢の取扱や患者の体位交換システムの要素に用いられてもよい。さらに個々の要素の形状は変更されてもよい。
【００１６】
以下の例示的な実施例の詳細な説明では、様々な特徴が、本開示を簡素化する目的で、いくつかの実施例にグループ化されている。この開示方法は、本発明の実施例が、各クレームに明確に記載されるよりも多くの特徴を必要とする意図を反映するものとして解釈されるべきものではない。むしろ、以下のクレームが示すように、発明の主題は、単一の開示された実施例のすべての特徴よりも少ない。このように、以下のクレームは、各クレームがそれ自体に基づく別個の実施例として、例示的な実施例の詳細な説明に組み込まれている。
【００１７】
本発明の範囲は、いかなる特定の実施例よりもはるかに広いが、好適な実施例の詳細な説明が、説明図とともに示され、ここで同じ符号は同じ要素を示す。
【図１】図１は、患者の体位交換および四肢取扱システムの第１の例示的な実施例の分解図を示す。
【図２】図２は、図１の例示的な実施例の組立図を示す。
【図３】図３は、枠組に取り付けられた図１の例示的な実施例の斜視図を示す。
【図４】図４は、延在位置での図１の例示的な実施例の斜視図を示す。
【図５】図５は、枠組に取り付けられる延在位置での図１の例示的な実施例の斜視図を示す。
【図６】図６は、患者の体位交換および四肢取扱システムの第２の例示的な実施例を図示する。
【図７】図７は、患者の体位交換および四肢取扱システムの第３の例示的な実施例を図示する。
【図８】図８は、患者の体位交換および四肢取扱システムの第４の例示的な実施例を図示する。
【図９】図９は、後退位置での図８の例示的な実施例を図示する。
【図１０】図１０は、患者の体位交換および四肢取扱システムの第５の例示的な実施例を図示する。
【図１１】図１１は、患者の体位交換および四肢取扱システムの第６の例示的な実施例を図示する。
【図１２】図１２は、後退位置での図１１の例示的な実施例を図示する。
【図１３】図１３は、患者の体位交換および四肢取扱システムの第７の例示的な実施例を図示する。
【図１４】図１４は、後退位置での図１３の例示的な実施例を図示する。
【図１５】図１５は、患者の体位交換および四肢取扱システムの第８の例示的な実施例を図示する。
【図１６】図１６は、図１５の例示的な実施例の一部の詳細図を示す。
【図１７】図１７は、患者の体位交換および四肢取扱システムの第９の例示的な実施例を図示する。
【発明を実施するための形態】
【００１８】
図１−５を参照すると、四肢取扱および患者の体位交換（ＬＭＰＲ）システム１００の一実施例が分解組立図に示されている。明確さの目的のために、全ての要素または特徴が図の各々に示されたり、付されているわけではない。この実施例において、ＬＭＰＲシステム１００は、上部横支持部材１１０および下部横支持部材１２０を具える。実施例は、スライドまたは平行移動で、上部横支持部材１１０に取り付けられる一対の上部横スライド部材１１５、およびスライドまたは平行移動で、下部横支持部材１２０に取り付けられる一対の下部横スライド部材１２５を具える。この実施例において、上部および下部横スライド部材１１５および１２５は、ケーシング１１７および１２７によって囲まれる一対の低摩擦インサート１１６および１２６を具える。別の実施例において、上部および下部横スライド部材は、一以上のローラやホイール（図示せず）のようなスライドまたは平行移動の動きが可能である別の要素を具えてもよい。
【００１９】
図１−５の例示的な実施例において、各一対の上部横スライド部材１１５が、１組の連結部材１１９に連結されており（図１では部分的にしか見えない）、それらはさらに、孔１２１で下部横支持部材１２０に連結される。リンク部材１２８が、下部横スライド部材１２５の各ケーシング１２７に連結されている。この実施例において、左縦部材１４０は、上部横支持部材１１０の一端に連結され、右縦部材１５０は、上部横支持部材１１０の反対側の端部に連結される。図示される実施例において、左右の縦部材１４０および１５０は、ケーシング１４２，１５２によって囲まれる低摩擦インサート１４１，１５１をそれぞれ有する。図３でより詳細に後述されるように、左縦部材１４０は、スライドまたは平行移動で、左縦支持部材２１６に係合され、右縦部材１５０は、同様に、右縦支持部材２１８に係合される。
【００２０】
図１に示されるように、下部横スライド部材１２５の各ケーシング１２７は、スロット１２９、およびスロット１２４を有する各低摩擦インサート１２６を具える。ＬＭＰＲシステム１００が組み立てられると、スロット１２４および１２９により、下部横スライド部材１２５が、連結部材１１９を過ぎてスライド可能となる。この実施例において、左右の縦部材１４０，１５０はそれぞれ、ＬＭＰＲシステム１００が左右の縦部材２１６，２１８に沿ってスライドしないよう調整された一対のロック部材１７５を具えてもよい。このロック部材１７５は、ＬＭＰＲシステム１００が（図３に示される枠組２００のような）枠組や他の構造支持システムから取り外し可能なように、左右の縦部材１４０，１５０に連結されてもよい。
【００２１】
図２に示されるように、上部および下部横スライド部材１１５，１２５は、保持機構１７１で保持されるピン１７０によって係止される。ピン１７０は、上部横支持部材１１０および下部横支持部材１２０の孔１７２に係止する。この形態において、上部および下部横スライド部材１１５，１２５は、上部および下部横支持部材１１０，１２０に沿ってスライド可能であり、ピン１７０および孔１７２を確実に係止することにより、適所に保持される。図１−５の例示的な実施例では保持機構を有するピンが記載されているが、別の実施例では、バネ付のピン、ハンドルを有するねじ切りロッド、またはロック目的の確実な係止を提供する別の構成であってもよい。さらに、左右の縦部材２１６および２１８が、これらの上部および下部横スライド部材１１５，１２５のような孔および同様のロック機構を具えてもよい。
【００２２】
図３に示されるように、ＬＭＰＲシステム１００は、構造支持システム、または支持面またはヘッドエンド２５２、フットエンド２５４、左側２５６、および右側２５８を有するベッド２５０上に延在する枠組２００に取り付け可能である。この例示的な実施例において、枠組２００は、左縦支持部材２１６、右縦支持部材２１８、フットエンド横部材２２０、およびヘッドエンド横部材２２２を支持する１セット４本の縦部材２１４を有する。図１−５に示される例示的な実施例において、左右の縦部材１４０および１５０は、スライドまたは平行移動で、左右の縦部材２１６および２１８に係合される。これにより、ＬＭＰＲシステム１００が、ヘッドエンド横部材２２２（およびベッド２５０のヘッドエンド２５２上）近傍部とフットエンド横部材２２０（およびベッド２５０のフットエンド２５４上）近傍部の間で移動可能となる。さらに、上部横スライド部材１１５は、上部横支持部材１１０上をスライドしてもよく、下部横スライド部材１２５は、下部横支持部材１２０上をスライドしてもよい。結果として、ＬＭＰＲシステム１００は、下部横支持部材１２０の一部が、左縦支持部材２１６または右縦支持部材２１８を越えて延在するよう操作または配置が可能である。例えば、上部横スライド部材１１５が左縦部材１４０近傍に配置され、下部横スライド部材１２５が下部横支持部材１２０の端部１１４近傍に配置されると、下部横支持部材端部１２０の端部１１４は左縦部材１４０を越えて延在する。このような構成により、下部横スライド部材１２５およびリンク部材１２８が左縦部材１４０を越えて延在することが可能となる。したがって、ＬＭＰＲシステム１００が枠組２００に取り付けられると、端部１１４およびリンク部材１２８は、左縦支持部材２１６を越えて延在するよう配置することができる。
【００２３】
同様に、上部横スライド部材１１５が右縦部材１５０近傍に配置され、下部横スライド部材１２５が下部横支持部材１２０の端部１１２近傍に配置されると、下部横支持部材端部１１２は平行移動し、右縦部材１５０（図４に示されるように）を越えて延在することとなる。このような構成は、下部横スライド部材１２５およびリンク部材１２８が右縦部材１５０を越えて延在することが可能となる。したがって、ＬＭＰＲシステム１００が枠組２００に取り付けられると、端部１１２およびリンク１２８は、図５に示されるように、右縦支持部材２１８を越えて延在することができる。
【００２４】
ＬＭＰＲシステム１００および枠組２００の構成により、リンク部材１２８が、ヘッドエンド２５２上の範囲からベッド２５０のフットエンド２５４上の範囲までの複数の位置に配置可能となる。この構成はまた、リンク部材１２８を、上記範囲から左側２５６の左までと、上記範囲から右側２５８の右までの複数の位置に配置可能にする。また、ベッド２５０または他の支持面によって支持される患者または他の人を補助するためのリンク部材１２８に追加部材を結合してもよい。
【００２５】
図６を参照すると、例えば、ホイスト４１０およびストラップまたはスリング４２０を具える吊りシステム４００は、リンク部材１２８または下部横スライド部材１２５に連結されてもよい。図６に示される例示的な実施例において、ＬＭＰＲシステム１００は、治療ベッド５００上に延在する枠組２００に取り付けられている。この例示的な実施例において、ＬＭＰＲシステム１００は、上述の方法で操作してリンク１２８および吊りシステム４００を所望の位置に配置することができる。その後、ホイスト４１０がスリング４２０を治療ベッド５００の方へ下に操作可能となり、これにより治療ベッド５００が支持する人間にスリング４２０をかけることができる。例えば、スリング４２０は、人の脚や腕周辺に配置され、ホイスト４１０は、人の腕や脚がスリング４２０によって支持されるようスリング４２０を上げるよう用いられる。例示的な実施例において、ホイスト４１０は、６００ポンドを吊すよう構成される。別の例示的な実施例において、ホイスト４１０は、７００，８００，９００，１０００ポンド以上を含む、より大きな重量を吊すよう構成されてもよい。
【００２６】
別の例示的な実施例において、異なる要素がリンク部材１２８、下部横スライド部材１２５、またはスリング４２０に連結されてもよい。例えば、図７を参照すると、ハンドル１３０は、チェーン１３１またはホイスト（図示せず）のような連結部材を介して、リンク部材１２８に連結されてもよい。この例示的な実施例において、ＬＭＰＲシステム１００は前述のように位置決めされ、これによりリンク部材１２８およびハンドル１３０が所望の位置に配置される。例示的な実施例において、上部または下部横スライド部材１１５、１２５は上部または下部横支持部材１１０，１２０に沿ってスライド可能であってもよい。このような例示的な実施例において、人はハンドル１３０を掴み、ベッド２５０から出入りする間、ハンドルを掴み続けることができる。横スライド部材１１５および１２５は、上部横支持部材１１０および下部横支持部材１２０に沿ってスライド可能であり、これにより、ハンドル１３０が、ベッド２５０上に直接配置された領域からベッド２５０上および隣の範囲までスライド可能である。
【００２７】
図８と９を参照すると、ロールシートまたは体位交換シート３００は、ストラップ３０５を介してホイスト４１０に連結されてもよい。図８に示されるように、体位交換シート３００が患者３１０の下に配置され、ストラップ３０５が患者３１０の上および横に配置されるホイスト４１０から延在している。図９に示されるように、ホイスト４１０は、ストラップ３０５を引っ張って、体位交換シート３００の一部を上げるよう操作可能である。この例示的な実施例において、患者３１０は、患者の背中をケアできるよう回転されたり、体位交換されうる。ホイスト４１０は、ストラップ３０５を伸長したり、患者３１０が図８に示される位置に戻るよう操作可能である。
【００２８】
図１０を参照すると、一例示的な実施例において、ホイスト４１０は、ストラップ３０５を介してスプレッダバー３０６に連結される。この例示的な実施例において、体位交換シート３００は、ストラップまたはスプレッダバー３０６に連結されるループ３０２を具える。例示的な実施例において、体位交換シートは、２００８年１月１０日出願の米国特許Ｎｏ．１１／９７２，３６４に開示された体位交換システムに同様に構成されてもよい。
【００２９】
図１１を参照すると、ベッド２５０のフットエンド２５４に向かって移動した患者３１０の側面図が示されている。この例示的な実施例において、体位交換シート３００は、患者３１０の下に配置されており、ストラップ３０５を介してホイスト４１０に連結されたスプレッダバー３０６にループ３０２が連結されている。図１２の例示的な実施例に示されるように、ホイストを操作してストラップ３０５を引っ張り、これがスプレッダバー３０６、体位交換シート３００、および患者３１０を、ベッド２５０のヘッドエンド２５２に向かって引っ張る。この方法で、ホイスト４１０およびＬＭＰＲシステム１００は、ベッド２５０内で患者３１０を再配置する際の介護人を補助することができる。
【００３０】
図１３および図１４を参照すると、別の実施例において、ＬＭＰＲシステム１００は、患者を一の面から他の面へ移動させる介護人の補助をすることができる。例示的な実施例において、患者３１０はまず、支持面２５１に配置される。この例示的な実施例において、体位交換シート３００が患者３１０の下に設置され、ループ３０２はストラップ３０５を介してホイスト４１０に連結されるスプレッダバー３０６に連結される。図１２に示されるように、ストラップ３０５を引っ張るようホイスト４１０を操作して、スプレッダバー３０６、体位交換シート３００、および患者３１０をベッド２５０に向かって引っ張ることができる。この方法で、ホイスト４１０およびＬＭＰＲシステム１００は、患者３１０を支持面２５１からベッド２５０へと移動する際の介護人の補助となる。
【００３１】
本書記載の例示的な実施例は、多くの利便性をもたらす。例えば、ＬＭＰＲシステム１００および枠組２００は、オペレータによって都合よくホイスト４１０を配置およびアクセス可能なシステムを提供する。例示的な実施例において、ＬＭＰＲシステム１００および枠組２００は、特定のベッドまたは他の支持面に関連づけられている。このような例示的な実施例において、オペレータは患者のためにホイストをベッドに配置したり、移動したりする必要はない。さらに、ＬＭＰＲシステム１００は、（トラックに取り付けられる天井のような）固定のオーバーヘッドシステムを設けてホイスト４１０を支持する必要がない。
【００３２】
例示的な実施例において、上部および下部横支持部材１１０，１２０のような側面および左右縦支持部材２１６、２１８は、粉体塗布された鉄、粉体塗布されたアルミニウム、または硬質の陽極処理アルミニウムのような低摩擦材料からなる。低摩擦インサート１１６および１２６と係合させると、ＬＭＰＲシステム１００を位置決めするのに必要な力量が減少する。例示的な実施例において、低摩擦インサート１１６、１２６、１４１、および１５１は、ＰＴＦＥのような摩擦減少プラスチック、アセタールレジン（すなわちＥ．ｌ．ＤｕＰｏｎｔ  ｄｅ  Ｎｅｍｏｕｒｓ  ａｎｄ  ＣｏｍｐａｎｙのＤｅｌｒｉｎ（登録商標））またはオイル含浸レジンでもよい。
【００３３】
図１５を参照すると、別の例示的な実施例は、左縦部材６４０および右縦部材６５０に連結された単一の横支持部材６１０を有するＬＭＰＲシステム６００を具える。ＬＭＰＲ６００はまた、横支持部材６１０に連結され、ストラップまたはスリング６２０を有するホイスト６０５を具える。この実施例において、ホイスト６０５は、一対のローラ６１５を介して横支持部材６１０に取り付けられる。ローラ６１５は、ベアリングまたはホイールのような回動部材を具える。ローラ６１５は、図１５ではローラ６１５の外側ハウジングにあり見えなくなっている。ローラ６１５は、外側ハウジングが示されていない図１６の詳細図で視認できる。図１６ではまた、左縦部材６４０に連結され、縦支持部材２１６に係合するローラ６４５も見ることができる。
【００３４】
ローラ６１５により、横支持部材６１０に対して平行移動が可能となり、ホイスト６０５が左縦部材６４０および右縦部材６５０間を移動可能となる。別の実施例では、ホイスト６０５は、ホイスト６０５を横支持部材６１０に対してスライドまたは平行移動させる別の装置を用いて横支持部材６１０に取り付けられてもよい。さらに、左縦部材６４０および右縦部材６５０は、ＬＭＰＲシステム６００が、ヘッドエンド横部材２２２およびフットエンド横部材２２０に向かって、または離れるよう動いてもよいように、左および右縦支持部材２１６および２１８に沿って平行移動してもよい。
【００３５】
ここで図１７を参照すると、別の例示的な実施例は、ホイスト７１０を枠組２００に連結する連結部材７０５を有するＬＭＰＲシステム７００を具える。この例示的な実施例において、枠組２００は、ヘッドエンド横部材２２２、右縦支持部材２１８、フットエンド横部材２２０、および左縦支持部材２１６間に、一連の湾曲部分２０１、２０２，２０３，および２０４を具える。枠組２００は、したがって、治療ベッド５００上の領域周りの経路を有し、これにより枠組２００から外れることなく、ＬＭＰＲシステム７００がヘッドエンド横部材２２２、右縦支持部材２１８、フットエンド横部材２２０、および左縦支持部材２１６間を動き、ヘッドエンド横部材２２２へと戻ることができる。これにより、ＬＭＰＲシステム７００が、枠組２００に支持されつつ枠組２００の外辺部で複数の位置のうちの１つへと移動することが可能となる。
【００３６】
ホイスト７１０はまた、別の機器（例えば、患者を体位交換するのに必要とされるスプレッダバーや体位交換シート、または別の装置）に患者を保持または接続可能なハンドル、ループ、またはストラップ７２０を具えてもよい。連結部材７０５は、連結部材７０５を枠組２００周りに動かすのに必要な作用力量を低減する低摩擦インサートまたは回動部材（図示せず）を具えてもよい。連結部材７０５はまた、ＬＭＰＲシステム７００が枠組２００内の所望の位置に配置されたら、その場所に保持可能なロック部材（図示せず）を具えてもよい。
【００３７】
本願発明の例示的な実施例が、詳細に上述され、記載されてきたが、本発明の範囲を逸脱せずに変化や変更がなされてもよいことは、当業者にとって明らかだろう。本発明の実際の範囲は、権利が与えられるこのような請求の範囲と同等の全範囲とともに、以下の請求の範囲によって定義される。
【図１】
0005407085.tif 000002
【図２】
0005407085.tif 000003
【図３】
0005407085.tif 000004
【図４】
0005407085.tif 000005
【図５】
0005407085.tif 000006
【図６】
0005407085.tif 000007
【図７】
0005407085.tif 000008
【図８】
0005407085.tif 000009
【図９】
0005407085.tif 000010
【図１０】
0005407085.tif 000011
【図１１】
0005407085.tif 000012
【図１２】
0005407085.tif 000013
【図１３】
0005407085.tif 000014
【図１４】
0005407085.tif 000015
【図１５】
0005407085.tif 000016
【図１６】
0005407085.tif 000017
【図１７】
0005407085.tif 000018